(57)【要約】  本発明は、ベローズ及び共同作用部分のシステムに関し、堅い外壁を備える共同作用部分、所定の形状及び厚さの可撓性壁を備え、この部分とともに共同作用するベローズ、を備え、前記ベローズの可撓性壁は、前記共同作用部分の堅い外壁に沿って移動可能であり、前記ベローズは、２つの別々に変形可能な可撓性壁部分を備え、前記２つの可撓性壁部分は、前記共同作用部分の堅い外壁の異なる部分と互いに共同作用する。
2008513309.tif 000002
【特許請求の範囲】
【請求項１】
堅い外壁を備える共同作用部分、
所定の形状及び厚さの可撓性壁を備え、前記共同作用部分とともに共同作用するベローズ、
を備え、
前記ベローズの可撓性壁は、前記共同作用部分の堅い外壁に沿って移動可能であり、
前記ベローズは、２つの別々に変形可能な可撓性壁部分を備え、
前記２つの可撓性壁部分の各々は、前記共同作用部分の堅い外壁における異なる部分と互いに共同作用する、ことを特徴とする、ベローズ及び共同作用部分のシステム。
【請求項２】
前記ベローズの可撓性壁部分は、前記共同作用部分の外壁部分上方に各々広がることを特徴とする、請求項１に記載のシステム。
【請求項３】
前記ベローズにおける変形可能な壁部分と共同作用する、前記共同作用部分における各外壁部分は、突出部によって形成されることを特徴とする、請求項２に記載のシステム。
【請求項４】
前記ベローズにおける変形可能な壁部分は、傾斜壁部分を備え、
前記傾斜壁部分は、前記共同作用部分の突出部とともに共同作用することを特徴とする、請求項３に記載のシステム。
【請求項５】
前記ベローズは、実質的に円錐形状を有することを特徴とする、請求項４に記載のシステム。
【請求項６】
バルブ部分をさらに備えることを特徴とする、請求項１から請求項５のいずれか１項に記載のシステム。
【請求項７】
前記バルブ部分は、前記ベローズの開口部に適合されるとともに、前記共同作用部分の開口部に適合され、
いずれの開口部も流体のための流路を形成することを特徴とする、請求項６に記載のシステム。
【請求項８】
前記バルブ部分は、前記共同作用部分内の流路中の突出部と共同作用するフックを備えることを特徴とする、請求項７に記載のシステム。
【請求項９】
所定形状及び厚さの可撓性壁を備えるベローズであって、
少なくとも２つの独立して変形可能な可撓性壁部分を備えることを特徴とする、ベローズ。
【請求項１０】
請求項１から請求項８のいずれか１項に記載のシステムを備えるポンプ。
【発明の詳細な説明】
【技術分野】
【０００１】
本発明は、請求項１に示されているような、ベローズのシステム及び共同作用部分に関する。本発明は、この種のシステムを備えているポンプにも関する。
【背景技術】
【０００２】
ベローズを有するポンプは、米国特許第４，３４７，９５３号明細書から公知である。この種のポンプは、特開平１０‐２３６５０３号公報からも公知である。
【０００３】
国際公開第２００４／００４９２１号パンフレットも参照される。この公開内容は、本出願に参照として組み込まれる。
【０００４】
ポンプは、例えばハウジング、キャップ、ベローズ、そして、ベローズと共同作用部分といった、多くのパーツから造られる。この種のベローズは、決定された圧縮を経た後に初期値と異なるスプリング力を有し、これにより、更なる圧縮が支援される。ベローズの可撓性壁は、圧縮の間、自由空間中を移動する。このポンプの用途は、発泡体、液体又はガスの所定の量を分注することに限定されている。
【発明の開示】
【発明が解決しようとする課題】
【０００５】
既知のポンプの第１の課題は、それらが液体バリアを備えていないということである。ベローズ閉止部を有する既知のポンプは、さらに、ボトル上での使用に適さない。
【０００６】
本発明は、上述の種類の改良されたシステムを提供する目的のためになされた。
【課題を解決するための手段】
【０００７】
本発明は、それ故、ベローセリウム及び共同作用部分のシステムを提供する。共同作用部分は、堅い外壁を備え、これに共同作用するベローズ部分は、所定の形状及び厚さを有する可撓性壁を備える。ここで、ベローズの可撓性壁は、共同作用部分の堅い外壁に沿って移動可能であり、そして、ベローズは、共同作用部分の堅い外壁の他の部分によって各々共同作用する、少なくとも２つの別々に変形可能な可撓性壁の部分を備える。
【０００８】
本発明は、添付図面を参照して更に説明される。
【発明を実施するための最良の形態】
【０００９】
ベローズ２は、所定形状の可撓性壁を備え、そして、その厚さは、射出成形によって好ましくは形成されることができる。可撓性壁、特にその厚さは、ベローズを変形できる力を変えるために使用可能なパラメータのうちの１つであって、このパラメータによって、ポンプの作動が影響されうる。
【００１０】
本発明によれば、ベローズ２は、厚さの異なっている壁部分を備えていてもよい。特に、本発明の一実施の形態によれば、ベローズ２は、実質的に円錐形を有し、そして、段のある先細りの円錐が得られるような多数の実質的に水平及び垂直な壁部分からなることが好ましい。本発明による、ベローズ２のそれぞれの壁部分は、異なる厚さを有していてもよい。ベローズ２は、特に２つの段階において作用するベローズ機能を有していてもよい。ベローズは、この目的のために、互いに独立に広がることができる２つの部分を備えている。この２つの広がる部分又はベローズ部分２ａ、２ｂは、互いに円錐形態で上方に配列される。２つのベローズ部分２ａ、２ｂは、共同作用部分４の突出部６、７と共同作用することができる。ベローズ部分２ａ、２ｂは、共同作用部分４の突出部６、７に接触するときに、広がる。異なるベローズ部分２ａ、２ｂは、２つの異なる周縁寸法を有する。これにより、共同作用部分４の異なる突出部６、７は、ベローズ２の異なる部分と共同作用することができる。異なるベローズ部分２ａ、２ｂは、互いに独立に作動する。
【００１１】
ベローズ２は、正方形又は矩形を含む、他の異なる断面を有してもよいが、ベローズ２は、円筒状断面を有することが好ましい。共同作用部分は、対応する態様で形成され、好ましくは円筒形物体を有する。
【００１２】
ベローズ２の機能中に広がる部分は、ベローズ２の実質的な垂直壁部分であることが好ましい。垂直部分の壁の厚さは、異なっていてもよい。側壁は、ベース８から突出して、先細りであり、任意的に段付きの態様であってもよい。側壁の下には、実質的に水平な部分によって形成されるベローズ２周りに多くの支持縁部９、１０が、構成される。
【００１３】
本発明によれば、ベローズ２は、共同作用部分４と逆に移動するように機能する。共同作用部分４は、ベローズ２と同様に形成された突出部６、７、又は、広がっている壁とともにベローズ２が移動できる斜め下方に移動する部分、を備えることが好ましい。
【００１４】
一実施の形態において、共同作用部分４は、ベローズ２のそれぞれの部分２ａ、２ｂを機能させるような、１つの突出部を有する。しかしながら、共同作用部分４は、２つ以上の突出部を有し、ベローズ２がその突出部上で支持して、そして、広がっている部分がその突出部に沿って移動できるように構成されることが好ましい。一実施の形態において、共同作用部分は、同一形状の２つの円形の突出部６、７を有する。
【００１５】
一実施の形態において、ベローズ２は、共同作用部分の突出部６、７によって作動中に支持される２つの支持縁部９、１０を有する。これらの縁部９、１０は、ベローズ２の外側に位置している。より大きな抵抗性を有するベローズ２ｂに対する支持縁部１０は、より小さい抵抗性を有するベローズ部分２ａに対する支持縁部９よりも大きな外周を備えることが好ましい。
【００１６】
一実施の形態において、ベローズ２は、重い方のベローズ部分２ｂのための支持縁部１０の近くに、ベローズ２の断面円錐形に従って実質的にテーパーを形成されている内壁部分１１を有する。この壁部分１１は、詳細を後述されるバルブ１２がその上部で支持してベローズ中に収容され得るように、形成される。ベローズ２の傾斜している側壁は、円錐ベローズ２の上部１３の方向にテーパーを形成して、バルブ部分３の脚部１４がその間で受け入れられてその上部で近接して調整されるように位置して、これにより、ベローズ２の開口部が閉じられるような、寸法を有する。
【００１７】
ベローズ２は、円錐形状における開口した大きな外側端部の近くに、例えばノズル１中において突出部１５によって支持可能なベース８を備えることが好ましい。ベース８は、肉厚である。
【００１８】
ノズル１の突出部１６とともに共同作用するバルブ１２は、このベース８の近くに配置される。バルブ１２は、ベローズ２中に受け入れられる容積に対する放出口として配置される。バルブ１２は、外側からのアクセスを遮断する。ベローズ２の大きな開放端周辺において円錐形で延在するオープンスペース１８は、バルブ１２及びベース８間に形成される。ベース８は、共同作用部分４中の突出部とともに共同作用することができ、これにより、ベローズ２が機能するときに、このチャンバ１８はわずかに圧縮される。このチャンバ１８の圧縮によって、ベローズ２が図１Ｃから図１Ｄへの戻り工程において解放されたときに、ノズル１を通って外側に運ばれる流体のいわゆるサックバック効果が生じる結果になる。ノズルを介して放出口１７に連通するチャンバ１８は、作動中に圧縮された体積よりも大きい、その本来の体積に復帰する。これにより、流体の部分は、このチャンバ１８中にサックバックされ、これにより、ノズル１上に形成された液滴もサックバックされる。
【００１９】
他の実施の形態において、ベース８はノズル１に沿って案内され、ここで、ベースは、内側に圧縮されて、これにより、バルブ１２及びベース８間のスペース１８はより小さくされる。ベローズ２が圧縮されるストローク中において、このスペース１８のサイズは減少して、一方、ベローズ２が開放されるときに、このスペース１８は拡張される。サックバック機能も、これにより達成される。バルブ１２及びノズル１の共同作用部分の作動は、図面に更に示される。
【００２０】
本発明によるベローズ２は、バルブ部分３と共同作動することが好ましい。本発明による実施の形態のバルブ部分は、実質的に円形状の、ベース３０形状中のバルブ部分である。ここで、伸張部分３１は、ベース３０から中心部の近くに延在して、この部分は、フック状部分３２を有する外側端部上に設けられることが好ましく、特に、このフック状外側端部３２がその下部でフックされるように、共同作用部分の内向きの突出部３３と共同作用することができる外向きの突出部の形状であることが好ましい（図５Ａ−図５Ｃ、及び図５Ａ−Ａ参照）。
【００２１】
バルブ部分３は、ベローズ２中に適合可能であり、ベローズ２の内側壁に対してそのベース３０とともに横たわることになる。バルブ部分３のベース３０の直径は、その支持縁部１０の１つに近接するベローズ２の側壁の直径に実質的に対応する。
【００２２】
ベース３０から延在してバルブ部分３のフック状外側端部３２を備える部分３１が、ベースが支持するベローズ２の側壁とベローズ２の開放端部との距離よりも長くなるように、バルブ部分３及びベローズ２は形成される。フック状の外側端部３２は、これにより、ベローズ２の開放端部を超えて突出する。フック状の外側端部３２は、ベローズ２とも共同作用部分４の部材と共同作用することができる。フック状部材３２は、バルブ部分３がベローズ２中に受け入れられたときに、ベローズ２を超えて突出する。
【００２３】
バルブ部分３は、ベローズの開口部を閉止することができる。これにより、液体バリアが得られる。
【００２４】
加えて、本発明は、本明細書で指定されるように配置される、又は、容器上に、特にボトル上に配置される、システムを備えるポンプに関する。ポンプは、容器又はボトルの外端部上へ固定できる閉止部分５、閉止部分５に接続されるベース又は共同作用部分４、ベローズ２、バルブ部分３、及び、ポンピングのための流体を分注するためのノズル１、を更に備えていることが好ましい。それぞれの部分については、後述される。ポンプは、キャップで覆われていてもよい。
【００２５】
閉止部分５は、ネジ山を有する外端部に対する受け入れスペース５０を備えていることが好ましい。ここで、受け入れスペース５０には、共同作用するネジ山が形成されている。容器の開放端及び閉止部分５を互いに嵌合させて漏れの機会を無くすために、密封リングが使用されうる。閉止部分５は、容器の開放端の縁部及び共同作用部分４の間に配置される。
【００２６】
閉止部分５（図２Ａ−Ａ、図７Ａ−図７Ｄ、及び、図７Ａ−Ａ参照）は、ポンプのベース部分又は共同作用部分４が係合可能な１つ又は多くの突出部５１を備えている。この係合は、ベース部分４が閉止部分５に対して回転できるようになされる。係合する突出部５１は、特に、円形である。ボトルに対して、特にノズル１中の、ポンプのポジショニングが、これにより、特にボトルの形及び／又はねじ山の形にかかわりなく、行われうる。特に、ノズル１は、その吐出口５２が所望の側に突出するように、回転することができる。吐出口５２のポジショニングは、特にポンプを備えている容器の輸送中に、重要でありえる。好ましいポジショニングは、コンパクト化（スペースセービング）をもたらす。
【００２７】
閉止部分５は、ベース部分又は共同作用部分４の少なくとも一部が受け入れられて、この受け入れられた部位が閉止部分５に接続されるボトルの内部に接触するような、開口部５３も、備えていることが好ましい。容器の外側端部上方に配置される閉止部分５は、弾性的に内方に突出して、共同作用部分４の対応する部材が閉止部分５上に配置されたときに、共同作用部分４の対応する部材に対して横たわるようになる、バルブ部分５４を特に備えている。
【００２８】
共同作用部分又はベース部分４（図２Ａ−Ａ、図６Ａ−６Ｂ、図６Ａ−Ａ参照)は、容器の外側に液体を吸引することが可能な、容器、特にボトルの開口部中に配置するための、ネック部分５５を備えることが好ましい。ネック部分５５は、内側に突出する多数の突出部３３を有する内部に設けられる。突出部３３は、ネック部材５５の内側壁に配置されて内側に突出するＬ字状の突出部であることが好ましく、ネック部材５５の中心を指向しないことが好ましい。実質的に円筒形状であるネック部材５５の断面において、突出部３３は、このネック部材５５の中心に平行した角度で内側に延在する。これにより、突出部３３の移動は、可能になる。突出部３３は、例えばより大きい物体がネック部材５５に配置される場合、ネック部材５５の内側壁に対する方向において、多少可撓性を有し、置換可能である。しかしながら、延在する突出部３３は、それらの可撓性によって、後方に移動することになる。このアセンブリを備えることで、突出部３３を超えてフック状部材３２を配置することが可能になる。ここで、これらの突出部３３がそれらの開始位置へ移動するときに、フック状端部３２は突出部３３の下で係合することになる。突出部３３は、実質的に（逆）Ｌ字形状を有する。Ｌ字形状における長側面は、ネック部材５５の内壁に接続されている。フック状部分３２、特に、バルブ部分３のフック状端部は、フック状端部３２がこれらの脚部を超えて配置されるときに、このＬ字形状における短脚部の下に位置されうる。
【００２９】
共同作用部分４のネック部分５５は、ボトルの外側端部に配置される。それは、閉止部分５の開放（上側）端部５３を介して突出する。この開放端部５３で、バルブ部分５４は、外側端部の周りの縁部が共同作用部分の突出部６０に対して横たわるように形成される。閉止部分５に共同作用部分４を接続することによって、バルブ部分５４が共同作用部分４の対応する突出部６０に対して張力が付与される（図２Ａ−Ａ参照）。過剰圧力がボトル、閉止部分５及び／又は共同作用部分４の外側に存在するときに、これらのバルブ部分５４は開放可能であり、それによって、空気は容器内に流入することができる。この空気は、特に、ポンプによって排出される液体を置換する。
【００３０】
ベース部分又は共同作用部分４は、ボトルから離れている側面上に延在している多数の突出部６、７を有する。これらの突出部６、７は、対応する部分、特に、ベローズ２の支持縁部９、１０に係合できるように、形成される。支持縁部９、１０は、ベローズ２の実質的に水平壁部分を形成する。ベローズ２は、実質的に幅狭のテーパー形状を有する。ベローズ２の幅狭のテーパー形状の外端部は、突出部６、７を備えるベース部分４の側面に対して向けられており、これらの上に配置される。ベローズ２がベース部分４の方へ移動するときに、ベローズ２の側壁は拡大し、それによって、ベローズ２内側の体積は減少する。
【００３１】
ベース部分４は、ベローズ２又はベローズ部分２ａ、２ｂに対して共同作用する部分を形成するような多くの突出部６、７を、特に備えている。これにより、段差機能は、ポンプのそれぞれの機能に対して、得られうる。これにより、特に、ボトルの液体閉止、及び、ボトル中に受け入れられる流体を分注するためのポンプ作用が得られる。
【００３２】
ベース部分４は、特にベローズ２のベース８として形成されるベローズ部分とともに共同作用しうる突出部を有する。これにより、ベース８の内側部上に形成されるスペース１８は、いわゆるサックバック機能が得られるように、より縮小されうる（図１Ｄ参照）。
【００３３】
ベース部分４は、閉止部分５とともに共同作用されうる締め付け部分６１を備える。その結果、ベース部分４はその上で係合することができる。
【００３４】
その外周周辺において、ベース部分４は、多くの溝（グルーブ）７０を備えている。これらの溝７０は、このベース部分４周辺に配置されうるノズル１上のリブ７１とともに共同作用する。ノズル１の内側に配置されるリブ７１がベース部分４の溝７０に調整されるときに、ノズル１は作動されうる。溝７０は、ノズル１に付随するリブ７１が後部に固定されうる多くの突出部７２も備えている。これにより、ベース４に対する運動は、遮断される。ベース部分４の外部上に溝７０を配列することで、ベース部分４に対するノズル１の回転ストロークを遮断することが可能となる。例えば輸送の間、ノズル１の使用は、これにより、遮断されうる。これは、更にリークを防止する。
【００３５】
このような溝７０は、ベース部分４の外側部上の多くの位置に配列されることができ、そして、多くのリブ７１は、ノズル１の内部上に対応する態様で配置されることができる。
【００３６】
ノズル１は、ベース部分４上に位置し、そして、ベース部分４上方で係合されるように具現化され、外側部８０を具備し、閉止部分５の外側部上に位置する。ノズル１は、ボトル開口部に実質的に整列する方向に、組み立てられた閉止部分５及びベース部分４に対して相互に移動可能である。
【００３７】
ノズル１には、ベース部分４が上部で支持されうる内側支持縁部が設けられている。ベローズ２は、ノズル１の内側部上で締付配置されることができる。
【００３８】
ベース部分４は、好ましくは、閉止部分５への搭載位置に接続される開口部を備え、そして、特に、ベース部分と閉止部分５との間に形成されたチャンバは、バルブ部分３にも接続している。空気は、開口部を経て、バルブ部分３に流入可能であり、これにより、負圧の場合、この空気がボトル中の流体を排出することができる。
【００３９】
次に、本発明によるポンプの作動について説明する。
【００４０】
まず第１に、ポンプが組み立てられる。閉止部分５は、例えば、この閉止部分５をボトル外端部にネジ止めすることによって、ボトル外端部に配置される。ベース部分４は、この閉止部分５上に配置され、ここで、このベース部分４は、配置されるベローズ２の共同作用部分を形成する延在突出部６、７とともに閉止部分５と離れた側部に設けられる。ベローズ２は、ノズル１の受け入れスペースに配置され、そこで、ベローズ２のベース８は、突出部１５で支持される。ベローズ２の吐出状開口部からのフック状端部３２によって延在するバルブ部分３は、ベローズ２中に配置される。閉止リングは、閉止部分５及びボトルのネック部の間に選択的に配置されてもよい。それぞれの部分は、追加のツール無しで、組立後に部品の除去を必要としないように、互いに係止するアームを備えて形成されている。
【００４１】
このようにして組み立てられたポンプは、５つの部分から成る。これらは、この部分が配置されうる容器中のポンプ作用をもたらすように相互に共同作用して、そこで、液体リーク・バリアも提供される。
【００４２】
ポンプ部分のアセンブリにおいて、ベローズ２は、ベース部分４の第１端部又は突出部６上で緊張された態様で支持されるように、寸法設定される。ベローズ２は、その領域中で変形して、それによって、ノズル１及びベローズ２を開始位置に保持する力が発生する。
【００４３】
バルブ部分３は、ベース部分４のネック部材５５の内部に突出している突出部３３を超えて、フック状部分３２で突出する。ポンプの組立の間、バルブ３は、これらの突出部３３を超えてベローズ２中に配置される。バルブ部分３は、これらの突出部３３によって適所に保持されて、そこで、バルブ３のベース３０は、ベローズ２の内側壁上で支持される。これにより、液体バリアとして作用するバルブ機能が得られる。ネック部分５５中に延在する突出部３３の下側部と、ベース部分４の共同作用部分／突出部６上で支持する張設されたベローズ部分２ａとの間隔とともに、バルブ３のステム部分３１における寸法を相互に適合させて、バルブ３を閉止する。例えば航空機でポンプを輸送中といった、負圧下において、ベローズ２と連結するバルブ部分３及びベース部分により、外部への液体の流出が防止される。そして、例えばボトルの絞り現象（スクイージング）といった、ボトルにおいて発生する過剰圧力下においても、リーク（漏れ）が発生しない。
【００４４】
ポンプが組み立てられた状態で用いられるときに、ボトルのネック部分の方にノズルを移動させる方向への圧力がノズル１に印加される（図１Ａ（開始位置）及び図１Ｂ（圧縮済）参照）。まず第１に、小さい方のベローズ部分２ａは、これにより、更に変形する。小さい方のベローズ部分２ａには、すでに張力が付与されている。これにより、バルブ部分３のベース３０がベローズ２の内側壁上で支持される位置と、バルブ部分３がフックされる突出部３３の下側との距離が縮小される。しかしながら、バルブ３は、大きい方のベローズ部分中に存在する流体による圧力のため、その閉止位置に保持される。ここで、バルブ部分３は、ベローズ２の上側/内側部分からの流体の逆流を防止するバルブ部分３として機能する。バルブ部分３のフック状部分３２は、さらに、ベース部分４のネック部材５５中に、突出することになる。
【００４５】
ノズル１の更なる移動（図１Ｃ）に伴って、そして、ベース部分４及び閉止部分５の方向において、ベローズ部分２ｂの第２の支持縁部１０は、第２の突出端部７又はベース部分４の共同作用部分に、接触する。これにより、第１のベローズ部分２ａ（小さい方のベローズ）の変形は、止められる。第２のベローズ部分２ｂの変形は、ノズル１の更なる移動によって生じる。
【００４６】
バルブ部分３によって、より大きいベローズ２ｂからの流体のフィードバック（帰還）が防止されるので、第２のベローズ２ｂが変形し始めるときに、流体は加圧されることになる。ベローズ２におけるより大きな開放端（ベース）に近接する薄膜又はバルブ部分１２を介して、流体は、流出してノズル１に流入することができ、そして、吐出口５２を経てノズル１から離れることもできる（図１Ｃに示される状況）。
【００４７】
ノズル１がベース部分４に接触するまで、ベローズ２及び特に第２のベローズ２ｂの変形は継続する。
【００４８】
ノズル１がベース部分４の方向に更に移動するにつれて、ベローズ２のベースと、バルブとして機能するフィルム部分１２との間のスペース１８も変形する。このスペース１８は、より小さくなる。特に、ここで得られるのは、第３のベローズ機能である。このベローズ機能は、この受け入れスペースにベース部分４上の突出部に接触させることによって強化されうる。これにより、フィルム部分１２及びベース４間のこのスペース１８における、さらなる変位、及び、これによるサイズの減少が、発生する。
【００４９】
ポンプの内側ストロークを終了後には、ノズル１上の力は縮小して（図１Ｄ）、これにより、ノズル１は開始位置（図ｌＡ）に戻る。ベローズ２中のスペースをノズル１中のスペースに接続するバルブ１２は、まず第１に、ここで閉止する。フィルム１２は、ノズル１からベローズ２の内部に流体が戻ることを防止する。フィルム及びベース間のスペース１８も拡張され、これにより、サックバックが発生して、さらに、吐出口５２に存在する流体がノズル１の内部に引き戻される。このことは、ノズルのリークに対して考慮すべき利点を有する。
【００５０】
開始位置へのノズル１の復帰移動によって、大きい方のベローズ部分２ｂ中の負圧が発生する。この大きい方のベローズ部分２ｂは、その開始位置へ戻ることになる。ベローズ２は、開始位置にポンプを戻す作用を有する弾性手段でもある。
【００５１】
第２のベローズ部分２ｂにおいて発生する負圧によって、バルブ部分３は開放され、これにより、流体は第２のベローズ部分２ｂ中に吸引されうる。流体は、吹込管が配置されるベース部分４のネック５５を通って吸引される。吹込管は、ポンプが接続されるボトルに突出し、ボトルの底部上に置かれるような長さであることが好ましい。これにより、ボトルは、本発明によるポンプで、十分空になるように圧送されうる。吹込管は、ベース部分４のネック５５の突出部３３の下側に位置する。
【００５２】
第２のベローズスペースの充填によって、ボトル中に負圧が生じる。これにより、ベローズ２及びベース部分４の間にある空気は、閉止部分５のバルブ５４を介して、ボトルに流入しうる。これにより、ポンプの作動が保証される。
【００５３】
開始位置へのノズル１の更なる復帰移動とともに、第２のベローズ部分２ｂの変形は、所与の瞬間に終わる（図１Ｄ参照）。更なる移動とともに、第２の大きい方のベローズ部分２ｂと、第１の小さい方のベローズ部分２ａの間の支持縁部１０は、共同作用部分、特にベース部分４の突出部７、から開放され、これにより、第１のベローズ２ａの変形も縮小される。これにより、バルブ部分３は、上方へ移動して、最終的に再びそのバルブ機能を実行し始める。第２のベローズ部分２ｂにおけるベローズ２中の大きなスペース間の開放接続部は、アクセス部分からベース部分４のネック部分５５まで閉止される。ノズル１の更なる移動によって、再び開始位置が最終的に想定される。
【００５４】
ノズル１が回転されて、これにより、遮断位置が想定される場合、ノズル１及び残りのポンプは、実質的に開始位置にあり、それによって、バルブ３は、液体の流出を妨げる。
【００５５】
実施の形態において、ベローズ２は、共同作用部分４によって共同作用する所定形状及び厚さの可撓性壁を有し、共同作用部分４は、堅い外壁を備え、この外壁に沿って可動性壁が移動可能である。
【００５６】
実施の形態において、ベローズ２の壁部分には、力の所望の進行を引き起こすために、所定の直径変化及び／又は所定の厚さ変化がある。
【００５７】
実施の形態において、折り返した端部は、圧力を吸収するために可撓性壁の外端部に配置される。折り返した端部は、共同作用部分からベローズ部分上への、又はその逆の、圧力を制御して伝達するための、係合の安定な位置を提供する。
【００５８】
力の発達は、実質的に一定、増加、減少、又は、それらの組み合わせであることが好ましい。
【００５９】
他の実施の形態において、力の発達は、振動して、これにより、より良好な分散が付与される。
【００６０】
実施の形態において、可撓性壁の部分は、円錐である。
【００６１】
実施の形態において、ベローズ２の可撓性壁の部分は、力の発達のピークを引き起こすために、肉厚の部分を備えている。このピークは、決定された分散に達したことを示す。
【００６２】
図１Ａ〜図１Ｄは、本発明の一実施の形態による、ポンプの４つの状態を示す。ノズル１、ベローズ２、バルブ部分３、ベース部分４、及び、閉止部分５が、示され、断面図で示されている。図ｌＡは、本発明によるポンプの開始位置を示す。図ｌＢは、力をノズル１に印加することによって小さい方のベローズ部分２ａが圧縮される第２段階を示す。ここで、バルブ部分３は、大きい方のベローズ部分２ｂ及び液体チャンバとの接続を遮断し続ける。図１Ｃは、大きい方のベローズ部分２ｂがどのように変形するかについて示す。ここで、ベローズ２頂部上のバルブ１２によって液体が外側へと流れることができるので、液体はノズル１を介して分注される。図１Ｄは、大きい方のベローズ部分２ｂがどのように体積が増加するかについて再度示す。ここで、液体は液体容器から引き出される。同時に、空気は、閉止部分５頂部上に配置されたバルブ５４を介して、容器中に流れる。ベース８及びフィルム１２間のサックバックチャンバ１８の変形も、ベローズ２の大きな外端部に接近するように示される。この復帰運動の間、このチャンバ１８の体積は増加して、それによって、サックバックは発生する。図１Ａによれば、開始位置は最終的に取り込まれ、そこにおいて、ベローズ２はベース部分４のそれぞれの共同作用部分に張力をかけられる。
【００６３】
このポンプは、容器（例えばボトル）中に存在する、液体、粘性材料、発泡体又はガスに対して適している。ベローズ２及びベース部分４のアセンブリによって、適切なポンプ作用がもたらされ、ここで、バルブ３はボトルへの液体の逆流が防止される。
【００６４】
示された実施の形態において、ベローズ２及び共同作用部分、又は、ベース部分４の拡大部分は、点対称形である。ベローズ２は、実質的に円錐形を有する。ベース部分又は共同作用部分４は、任意的に、ベローズが拡大しうる円錐部分を有する。例えば卵形及び正方形といった、他の全ての形も、可能である。
【００６５】
ベローズ部分２は、点対称形であり、所望の弾性特性が得られるような厚さ変化を有する可撓性の円筒形壁５を備え、そこで、肉厚なベース２３がノズル１の凹所中で支持して、例えばノズル中に配置される多くのリブによって形成される。薄膜又はバルブ１２は、バルブ機能を得るために、ノズル１の壁部分１６の外側部とともに共同作用する。その結果、過剰圧力が、第２の大きい方のベローズ部分のチャンバ１８中で生じる。そして、バルブ１２は、外側に押圧され、そして、その中身はノズル１及びその吐出口５２を介して外側に流れる。
【００６６】
ベローズ２及びノズル１の圧縮中での、力の進行は、可撓性壁における肉厚変化、及び、任意的に、この可撓性壁が広がる共同作用部分４の外面の変化、との合同の作用である。図１Ａ−図１Ｄに示された実施の形態と比較して、突出部は、例えばベース部分４における第２の共同作用部分の外側に配置されてもよく、これにより、第２のベローズ部分２ｂの拡大中に、抵抗が発生し、そのため、第１の分注が得られるという事実にユーザは注目する。
【００６７】
ノズル１は、スプレーオリフィスを任意的に備えてもよい。ポンプは、ベローズへの接続を経て、接続されたレバーを有するピストル機構を、任意的に備えてもよい。追加部品は、ベンティング（通気）の目的で、任意的に使用されうる。
【００６８】
他の実施の形態において、ベース部分４は、ベローズ２の逆方向に移動する代わりに、ベローズ２の方向に移動可能である。
【００６９】
ベローズ２は、その壁厚において多様に変化していてもよい。これにより、ベローズ２が下方へ移動する弾性力は、可変的になる。
【図面の簡単な説明】
【００７０】
【図１Ａ】図１Ａは、本発明の実施の形態による、休止位置における、ポンプの断面図を示す。
【図１Ｂ】図１Ｂは、本発明の実施の形態による、部分圧縮位置における、ポンプの断面図を示す。
【図１Ｃ】図１Ｃは、本発明の実施の形態による、圧縮位置における、ポンプの断面図を示す。
【図１Ｄ】図１Ｄは、本発明の実施の形態による、再度の休止位置における、ポンプの断面図を示す。
【図２Ａ−Ａ】図２Ａ−Ａは、図２ＡにおけるＡＡに沿った断面図を示す。
【図３Ａ】図３Ａは、ノズルの正面図を示す。
【図３Ｃ】図３Ｃは、ノズルの側面図を示す。
【図３Ｄ】図３Ｄは、ノズルの底面図を示す。
【図３Ａ−Ａ】図３Ａ−Ａは、図３ＡにおけるＡＡに沿った断面図を示す。
【図３Ｂ−Ｂ】図３Ｂ−Ｂは、図３ＡにおけるＢＢに沿った断面図を示す。
【図４Ａ】図４Ａは、ベローズの平面図を示す。
【図４Ｂ】図４Ｂは、ベローズの側面図を示す。
【図４Ａ−Ａ】図４Ａ−Ａは、図４ＡにおけるＡＡに沿った断面図を示す。
【図５Ａ】図５Ａは、バルブ部分の正面図を示す。
【図５Ｂ】図５Ｂは、バルブ部分の平面図を示す。
【図５Ｃ】図５Ｃは、バルブ部分の底面図を示す。
【図５Ａ−Ａ】図５Ａ−Ａは、図５ＡにおけるＡＡに沿った断面図を示す。
【図６Ａ】図６Ａは、共同作用部分の平面図を示す。
【図６Ｂ】図６Ｂは、共同作用部分の正面図を示す。
【図６Ａ−Ａ】図６Ａ−Ａは、図６ＡにおけるＡＡに沿った断面図を示す。
【図７Ａ】図７Ａは、閉止部分の平面図を示す。
【図７Ａ−Ａ】図７Ａ−Ａは、図７ＡにおけるＡＡに沿った断面図を示す。
【図７Ｂ】図７Ｂは、図７ＥのＢで指定された、詳細を示す。
【図７Ｃ】図７Ｃは、図７Ａ−ＡのＣで指定された、詳細を示す。
【図７Ｄ】図７Ｄは、閉止部分の正面図を示す。
【図７Ｅ】図７Ｅは、閉止部分の底面図を示す。
【符号の説明】
【００７１】
２  ベローズ
２ａ、２ｂ  ベローズ部分
３  バルブ
４  共同作用部分（ベース）
６、７  突出部
８  ベース
９、１０  支持縁部
１２  バルブ
３３  突出部
５２  吐出口
５３  開口部
５４  バルブ部分
５５  ネック部分
【図１Ａ】
2008513309.tif 000003
【図１Ｂ】
2008513309.tif 000004
【図１Ｃ】
2008513309.tif 000005
【図１Ｄ】
2008513309.tif 000006
【図２Ａ】
2008513309.tif 000007
【図２Ａ−Ａ】
2008513309.tif 000008
【図２Ｂ】
2008513309.tif 000009
【図２Ｃ】
2008513309.tif 000010
【図２Ｄ】
2008513309.tif 000011
【図３Ａ】
2008513309.tif 000012
【図３Ａ−Ａ】
2008513309.tif 000013
【図３Ｂ−Ｂ】
2008513309.tif 000014
【図３Ｃ】
2008513309.tif 000015
【図３Ｄ】
2008513309.tif 000016
【図４Ａ】
2008513309.tif 000017
【図４Ａ−Ａ】
2008513309.tif 000018
【図４Ｂ】
2008513309.tif 000019
【図５Ａ】
2008513309.tif 000020
【図５Ａ−Ａ】
2008513309.tif 000021
【図５Ｂ】
2008513309.tif 000022
【図５Ｃ】
2008513309.tif 000023
【図６Ａ】
2008513309.tif 000024
【図６Ａ−Ａ】
2008513309.tif 000025
【図６Ｂ】
2008513309.tif 000026
【図７Ａ】
2008513309.tif 000027
【図７Ａ−Ａ】
2008513309.tif 000028
【図７Ｂ】
2008513309.tif 000029
【図７Ｃ】
2008513309.tif 000030
【図７Ｄ】
2008513309.tif 000031
【図７Ｅ】
2008513309.tif 000032
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
堅い外壁を備える共同作用部分(4)、
所定の形状及び厚さの可撓性壁を備え、前記共同作用部分とともに共同作用するベローズ(2)、
を備え、
前記ベローズ(2)の可撓性壁は、前記共同作用部分(4)の堅い外壁に沿って移動可能であり、
前記ベローズ(2)は、２つの別々に変形可能な可撓性壁部分(2a,2b)を備え、
前記ベローズ(2)における２つの可撓性壁部分(2a,2b)の各々は、前記共同作用部分(4)の堅い外壁における異なる部分と互いに共同作用する、ことを特徴とする、ベローズ(2)及び共同作用部分(4)のシステム。
【請求項２】
前記ベローズ(2)の可撓性壁部分(2a,2b)は、前記共同作用部分(4)の外壁部分上方に各々広がることを特徴とする、請求項１に記載のシステム。
【請求項３】
前記ベローズ(2)における変形可能な壁部分(2a,2b)と共同作用する、前記共同作用部分(4)における各外壁部分は、突出部(6，7)によって形成されることを特徴とする、請求項２に記載のシステム。
【請求項４】
前記ベローズ(2)は、前記ベローズの機能中に広がる実質的な垂直部分と、前記共同作用部分(4)の突出部(6，7)が作動中に対向支持される実質的な水平部分で形成される複数の支持縁部(9,10)を備えることを特徴とする、請求項３に記載のシステム。
【請求項５】
前記垂直部分の壁の厚さは、異なっていることを特徴とする、請求項４に記載のシステム。
【請求項６】
前記ベローズ(2)は、実質的に円錐形状を有する、請求項１から請求項５のいずれか１項に記載のシステム。
【請求項７】
バルブ部分をさらに備えることを特徴とする、請求項１から請求項６のいずれか１項に記載のシステム。
【請求項８】
前記バルブ部分(3)は、前記ベローズ(2)の開口部に適合されるとともに、前記共同作用部分(4)の開口部に適合され、
いずれの開口部も流体のための流路を形成することを特徴とする、請求項７に記載のシステム。
【請求項９】
前記バルブ部分は、前記共同作用部分(4)内の流路中の突出部(33)と共同作用するフック(32)を備えることを特徴とする、請求項8に記載のシステム。
【請求項１０】
突出部(6,7)を有する共同作用部分(4)と共同作用するためのベローズ(2)であって、
前記ベローズ(2)は、
所定形状及び厚さの可撓性壁を備え、
少なくとも２つの独立して変形可能な可撓性壁部分(2a,2b)を備え、
前記ベローズの機能中に広がる実質的な垂直部分と、前記共同作用部分(4)の突出部(6，7)が作動中に対向支持される実質的な水平部分で形成される複数の支持縁部(9,10)を備えることを特徴とする、ベローズ。
【請求項１１】
ベローズ(2)及び共同作用部分(4)のシステムを備えるポンプであって、
堅い外壁を備える共同作用部分(4)、
所定の形状及び厚さの可撓性壁を備え、前記共同作用部分とともに共同作用するベローズ(2)、
を備え、
前記ベローズ(2)の可撓性壁は、前記共同作用部分(4)の堅い外壁に沿って移動可能であり、
前記ベローズ(2)は、２つの別々に変形可能な可撓性壁部分(2a,2b)を備え、
前記ベローズ(2)における２つの可撓性壁部分(2a,2b)の各々は、前記共同作用部分(4)の堅い外壁における異なる部分と互いに共同作用する、ことを特徴とする、ポンプ。
【国際調査報告】
2008513309.tif 000033
2008513309.tif 000034